【事件の表示】
　特願２００８−　１４７９９「画像処理方法，画像表示方法，画像処理プログラム，記憶媒体，画像処理装置，Ｘ線撮影装置」拒絶査定不服審判事件〔平成２０年１０月　２日出願公開，特開２００８−２２９３２２〕について，次のとおり審決する。
【結　論】
　本件審判の請求は，成り立たない。
【理　由】
１　手続の経緯
　本願は，平成２０年１月２５日（優先権主張平成１９年２月２２日）の出願であって，平成２４年５月２２日付けの拒絶理由通知に対し同年７月３０日付けで意見書が提出されるとともに同日付けで手続補正がなされ，同年９月２６日付けの拒絶理由に対し同年１１月３０日付けで意見書が提出されるとともに同日付けで手続補正がなされたが，同年１２月１７日付けで拒絶査定がなされ，これに対し平成２５年３月１１日に拒絶査定不服審判の請求がなされるとともに同日付けで手続補正がなされたものである。
　
２　平成２５年３月１１日付けでなされた手続補正について
　平成２５年３月１１日付けでなされた手続補正は，請求項８を削除し，これに伴って，請求項９〜２１をそれぞれ請求項８〜２０に繰り上げ，これらが引用していた請求項を改めると共に，それらに合わせて明細書の記載を整合させたものである。
　したがって，この補正は，特許法第１７条の２第５項第１号に規定する請求項の削除を目的とするものに該当し，また，新たな技術事項を導入するものではないから，特許法第１７条の２第３項の規定に適合する。
　よって，平成２５年３月１１日付けでなされた手続補正は，特許法第１７条の２の規定に適合する。
　
３　本願発明　　
　この出願の請求項１〜２０に係る発明は，平成２５年３月１１日付けの手続補正により補正された特許請求の範囲，明細書及び図面の記載からみて，その特許請求の範囲の請求項１〜２０に記載された事項により特定されたとおりのものと認められるところ，その請求項１に係る発明（以下「本願発明」という）は次のとおりのものである。　
　
「全顎を対象としたＸ線ＣＴ撮影で得た歯顎顔面領域のＸ線投影データを用いて歯列のパノラマ断層画像を得る画像処理方法であって，
　前記Ｘ線投影データ中の歯列弓の位置及び形状を特定するために予め設定された標準位置及び形状の情報に基づき，前記Ｘ線投影データから前記歯列弓に対応する歯列弓投影データを取り出す歯列弓投影データ抽出ステップと，
　前記歯列弓投影データを用いて所定の処理を行い前記パノラマ断層画像を生成するパノラマ生成ステップとを備える画像処理方法。」
　
４　刊行物の記載事項　　
　本願優先日前に頒布され，原査定の拒絶の理由に引用された刊行物である特開２００１−６１８３４号公報（以下「刊行物」という）には，図面とともに，次の事項が記載されている（下線は当審で付した）。
　
（１）「【０００５】図７はこの従来の歯科用曲面再構成を説明するブロック図である。６１は
Ｘ線ＣＴ装置で撮影した
上下顎の画像データを使用して構築したＣＴ三次元ボクセルデータ６６
　
（２）「【０００８】
【課題を解決するための手段】本発明は，従来の歯科用曲面再構成法における欠点を改善するために考案したものである。請求項１の発明は，図２において，上顎または下顎，
上下顎を含む三次元ボクセルデータ４１に歯列に沿った基準曲面４６と，歯列などの関心オブジェクトを含む湾曲厚板領域４３とを設定する手段２８と，この基準曲面４６の垂線方向４８における湾曲厚板領域４３での光の減衰をボクセルの画素値から計算してその結果を基準曲面４６に投影することによって，基準曲面４６上に関心オブジェクトの投影画像データ４９を作成する手段２９と，基準曲面４６を平面に展開する関係式を作成してこの関係式に従って基準曲面上の画像データ４９を平面に展開する手段３０とを備えることによって，パノラマ平面画像２５を作成して表示する
　
　以上の記載事項（１）及び（２）を総合すると，上記刊行物には，以下の発明が記載されていると認められる。　　
　
「Ｘ線ＣＴ装置で撮影した上下顎の画像データを使用して構築した三次元ボクセルデータ４１に歯列に沿った基準曲面４６と，歯列などの関心オブジェクトを含む湾曲厚板領域４３とを設定し，
　この基準曲面４６の垂線方向４８における湾曲厚板領域４３での光の減衰をボクセルの画素値から計算してその結果を基準曲面４６に投影することによって，基準曲面４６上に関心オブジェクトの投影画像データ４９を作成し，
　基準曲面４６を平面に展開する関係式を作成してこの関係式に従って基準曲面上の画像データ４９を平面に展開することによって，パノラマ平面画像２５を作成して表示する方法。」（以下「引用発明」という）
　
５　対比
　本願発明と引用発明とを対比する。
　
（１）引用発明の「Ｘ線ＣＴ装置で撮影した上下顎の画像データを使用して構築した三次元ボクセルデータ４１」，「パノラマ平面画像」及び「関心オブジェクトの投影画像データ４９」は，それぞれ，本願発明の「全顎を対象としたＸ線ＣＴ撮影で得た歯顎顔面領域のＸ線投影データ」，「パノラマ断層画像」及び「歯列弓投影データ」に相当する。また，引用発明の「三次元ボクセルデータ４１に設定」される「基準曲面４６」は「歯列に沿った」ものであり，「ボクセルデータ４１に設定」される「湾曲厚板領域４３」は「歯列などの関心オブジェクトを含む」ものであるから，いずれも，本願発明の「歯列弓の位置及び形状の情報」に相当するものといえる。
　
（２）引用発明の「Ｘ線ＣＴ装置で撮影した上下顎の画像データを使用して構築した三次元ボクセルデータ４１」を用いて「パノラマ平面画像２５を作成して表示する方法」は，「歯列に沿った基準曲面４６と，歯列などの関心オブジェクトを含む湾曲厚板領域４３とを設定」するものであって，「歯列」を対象とするから，本願発明の「全顎を対象としたＸ線ＣＴ撮影で得た歯顎顔面領域のＸ線投影データを用いて歯列のパノラマ断層画像を得る画像処理方法」に相当する。　　
　
（３）引用発明の「三次元ボクセルデータ４１に歯列に沿った基準曲面４６と，歯列などの関心オブジェクトを含む湾曲厚板領域４３とを設定し，この基準曲面４６の垂線方向４８における湾曲厚板領域４３での光の減衰をボクセルの画素値から計算してその結果を基準曲面４６に投影することによって，基準曲面４６上に関心オブジェクトの投影画像データ４９を作成」すること（ステップ）と，本願発明の「前記Ｘ線投影データ中の歯列弓の位置及び形状を特定するために予め設定された標準位置及び形状の情報に基づき，前記Ｘ線投影データから前記歯列弓に対応する歯列弓投影データを取り出す歯列弓投影データ抽出ステップ」とは，「前記Ｘ線投影データ中の歯列弓の位置及び形状を特定するために設定された位置及び形状の情報に基づき，前記Ｘ線投影データから前記歯列弓に対応する歯列弓投影データを取り出す歯列弓投影データ抽出ステップ」の点で共通する。　
　
（４）引用発明の「基準曲面４６を平面に展開する関係式を作成してこの関係式に従って基準曲面上の画像データ４９を平面に展開することによって，パノラマ平面画像２５を作成して表示する」こと（ステップ）は，本願発明の「前記歯列弓投影データを用いて所定の処理を行い前記パノラマ断層画像を生成するパノラマ生成ステップ」に相当する。
　
　してみると，本願発明と引用発明とは　　　
「全顎を対象としたＸ線ＣＴ撮影で得た歯顎顔面領域のＸ線投影データを用いて歯列のパノラマ断層画像を得る画像処理方法であって，
　前記Ｘ線投影データ中の歯列弓の位置及び形状を特定するために設定された位置及び形状の情報に基づき，前記Ｘ線投影データから前記歯列弓に対応する歯列弓投影データを取り出す歯列弓投影データ抽出ステップと，
　前記歯列弓投影データを用いて所定の処理を行い前記パノラマ断層画像を生成するパノラマ生成ステップとを備える画像処理方法。」　　
である点で一致し，次の点で相違する。　　
　
（相違点）　　
「前記Ｘ線投影データ中の歯列弓の位置及び形状を特定するために」「前記Ｘ線投影データから前記歯列弓に対応する歯列弓投影データを取り出す歯列弓投影データ抽出ステップ」において，本願発明では「予め設定された標準位置及び形状の情報に基づき」行われるのに対し，引用発明では「設定された位置及び形状の情報」たる「三次元ボクセルデータ４１」に「設定」された「歯列に沿った基準曲面４６と，歯列などの関心オブジェクトを含む湾曲厚板領域４３」に基づき行われる点。
　
６　判断　　
（１）相違点について　　
　本願発明の属する技術分野である歯科用Ｘ線撮影装置において，歯列弓の位置及び形状を特定するために，予め設定された標準歯列弓（標準位置及び形状の情報）を用いることは，例えば，原査定の拒絶理由に引用された特開２００３−２９０２２０号公報（「【００３６】…補正の基準となる歯列弓１１の形状・寸法として，基本的に大人と子供用の二種類の標準サイズ歯列弓があれば，これを基準にして自動補正することができ…」），特公昭６３−１３７００号公報（「フイルム送り軌道２１は標準的な歯列弓に合わせて作つたものを用いるようにしている」，第５欄第１６〜１７行），特許第２７２２０６５号公報（「（従来の技術）…歯科用Ｘ線撮影装置において，歯のパノラマ撮影をするような場合には，標準歯列弓に合せて撮影していた。」，第２欄第５〜１１行），特許第２５９７４９３号公報（「（従来の技術…予め作成された一定の標準歯列弓をスタンダードな条件設定値として採用，撮影する方法が実施されている…」，第２欄第１〜１０行）に開示されているように周知技術である。
　そして，引用発明において「三次元ボクセルデータ４１に歯列に沿った基準曲面４６と，歯列などの関心オブジェクトを含む湾曲厚板領域４３とを設定」する際に，歯列弓の位置及び形状を特定するという共通の目的を有する上記周知技術を適用して，予め設定された標準歯列弓（標準位置び形状の情報）に基づいて対応する基準曲面４６と，湾曲厚板領域４３とが設定されるようにすることは当業者が容易になし得たというべきである。
　
（２）効果について　　
　上記相違点により本願発明の奏する効果は，刊行物の記載及び周知技術から，当業者が予測できる範囲のものであり，格別顕著なものとはいえない。　
７　むすび　　
　本願発明は，引用発明及び周知技術に基づいて当業者が容易に発明をすることができたものであるから，特許法２９条２項の規定により特許を受けることができない。
　したがって，その余の請求項に係る発明について言及するまでもなく，本願は拒絶されるべきものである。　　
　よって，結論のとおり審決する。